(57)【特許請求の範囲】
【請求項１】
上プレートと下プレートとをセンターフレームを挟んで連結し、内部にディスク状媒体を収納し、前記上プレート及び前記下プレートに記録再生ヘッドの挿入用の開口部を設けるとともに前記開口部を開閉する摺動自在なシャッター及び前記シャッターが摺動する薄肉のシャッター摺動部を備えたディスクカートリッジにおいて、
前記上プレートは、透明体又は半透明体であり、
前記上プレートのゲートを、前記上プレートの外面側であって前記シャッター摺動部以外の領域に設け、
前記上プレートの内面側であって前記ゲートに対応する位置の周囲部に薄肉部を設けたことを特徴とするディスクカートリッジ。
【請求項２】
請求項１に記載のディスクカートリッジにおいて、
前記シャッターを閉状態に維持するシャッターロックを、前記センターフレームに設けたシャッターロック収納部に配置し、
前記上プレートのゲートを、前記シャッターロック収納部の上方に位置するようにしたことを特徴とするディスクカートリッジ。
【請求項３】
請求項２に記載のディスクカートリッジにおいて、
前記上プレートの前記薄肉部と前記センターフレームの前記シャッターロック収納部との領域の外形を一致させたことを特徴とするディスクカートリッジ。
【請求項４】
請求項１に記載のディスクカートリッジにおいて、
誤消去防止プラグを、前記下プレートの端縁部に設けたプラグ取付部に配置するとともに、前記センターフレームに、前記プラグ取付部を囲む切り欠き形状を有する切り欠き部を形成し、
前記上プレートのゲートを、前記プラグ取付部の上方に位置するようにしたことを特徴とするディスクカートリッジ。
【請求項５】
請求項４に記載のディスクカートリッジにおいて、
前記上プレートの前記薄肉部と前記下プレートの前記プラグ取付部との領域の外形を一致させたことを特徴とするディスクカートリッジ。
【発明の詳細な説明】
【０００１】
【発明の属する技術分野】
本発明は、光ディスク等のディスク状媒体を収納したＭＤ等のディスクカートリッジに関し、特に、上プレートと下プレートとをセンターフレームを挟んで連結したディスクカートリッジに関するものである。
【０００２】
【従来の技術】
図４は、従来のディスクカートリッジの第１例（特開平６−１８０９６４号公報）を分解して示す斜視図である。この例のディスクカートリッジ１００は、ディスク状媒体４０を内部に収納し、下プレート１１０と上プレート１３０とを重ね合わせ、下プレート１１０と上プレート１３０とを連結した２体構造のものである。
【０００３】
ディスクカートリッジ１００の下プレート１１０及び上プレート１３０には、それぞれ、ディスク状媒体４０を露出させる開口部１１１及び１３１が形成され、さらにこの開口部１１１及び１３１を開閉可能とする断面コ字状のシャッター５１が取り付けられている。
そして、上プレート１３０の開口部１３１を含むシャッター摺動部１３２では、肉厚が薄く形成され、シャッター５１が取り付けられたときにシャッター５１と上プレート１３０との上面の高さが略一致するように形成されている（図示しないが、下プレート１１０についても同様である）。
【０００４】
また、上プレート１３０のゲート１３３は、シャッター摺動部１３２内に設けられている。ここで、ゲート１３３の切断不良によってバリ等が発生すると、シャッター５１の摺動性が悪化したり、削り粉の発生によりドロップアウトの原因になることが考えられる。したがって、ゲート１３３の高さを一段低く（断面凹状に）形成している。これと同時に、成形時の樹脂の流動性を考慮して、ゲート１３３の位置における上プレート１３０の内面側に突状の湯溜まり（図示せず）を形成している。
【０００５】
ところで、室外での使用に十分耐えうる剛性の高いディスクカートリッジの要請がある。ここで、ディスクカートリッジ１００の上プレート１１０や下プレート１３０の肉厚を厚くすれば剛性を高めることができるが、ひけが発生して外観を損なうという欠点がある。そこで、図５に示すような３体構造とすることにより、剛性を高めたものが知られている。
【０００６】
図５は、従来のディスクカートリッジの第２例（特開昭６４−７８４７８号公報）を分解して示す斜視図である。このディスクカートリッジ２００は、上プレート２３０と下プレート２１０とをセンターフレーム２２０を挟んで重ね合わせて３体構造とすることにより、剛性を高めたものである。
そして、ディスクカートリッジの用途に応じて、高剛性や重量感が求められるものは３体構造とし、それ以外のものは２体構造としている。
【０００７】
【発明が解決しようとする課題】
しかし、前述のディスクカートリッジ２００において、ディスクカートリッジ１００と同様に、上プレート２３０にゲートを設けようとすると、上プレート２３０のゲート位置に対応する内面側に突状の湯溜まりを設ける必要があるので、この湯溜まりとの干渉防止のために、センターフレーム２２０側に断面凹状の部分を設けなければならない。
【０００８】
しかし、このようにした場合には、上プレート２３０が透明体又は半透明体であるときに、センターフレーム２２０の前記断面凹状の部分が見えてしまい、外観を損ない、さらには商品価値が低下するという問題がある。
【０００９】
したがって、本発明が解決しようとする課題は、３体構造のディスクカートリッジにおいて、センターフレームに断面凹状の部分を設けることなく、成形性を維持しつつ上プレートにゲートを設けることである。
【００１０】
【課題を解決するための手段】
上述の課題を解決するため、請求項１の発明は、上プレートと下プレートとをセンターフレームを挟んで連結し、内部にディスク状媒体を収納し、前記上プレート及び前記下プレートに記録再生ヘッドの挿入用の開口部を設けるとともに前記開口部を開閉する摺動自在なシャッター及び前記シャッターが摺動する薄肉のシャッター摺動部を備えたディスクカートリッジにおいて、前記上プレートは、透明体又は半透明体であり、前記上プレートのゲートを、前記上プレートの外面側であって前記シャッター摺動部以外の領域に設け、前記上プレートの内面側であって前記ゲートに対応する位置の周囲部に薄肉部を設けたことを特徴とする。
【００１１】
請求項２の発明は、請求項１に記載のディスクカートリッジにおいて、前記シャッターを閉状態に維持するシャッターロックを、前記センターフレームに設けたシャッターロック収納部に配置し、前記上プレートのゲートを、前記シャッターロック収納部の上方に位置するようにしたことを特徴とする。
【００１２】
請求項３の発明は、請求項２に記載のディスクカートリッジにおいて、前記上プレートの前記薄肉部と前記センターフレームの前記シャッターロック収納部との領域の外形を一致させたことを特徴とする。
【００１３】
請求項４の発明は、請求項１に記載のディスクカートリッジにおいて、誤消去防止プラグを、前記下プレートの端縁部に設けたプラグ取付部に配置するとともに、前記センターフレームに、前記プラグ取付部を囲む切り欠き形状を有する切り欠き部を形成し、前記上プレートのゲートを、前記プラグ取付部の上方に位置するようにしたことを特徴とする。
【００１４】
請求項５の発明は、請求項４に記載のディスクカートリッジにおいて、前記上プレートの前記薄肉部と前記下プレートの前記プラグ取付部との領域の外形を一致させたことを特徴とする。
【００１５】
【作用】
請求項１の発明においては、上プレートのゲートは、上プレートの外面側であってシャッターの摺動部以外の領域に設けられる。これにより、上プレートの内面側のゲート位置に対応する部分には、湯溜まりを設ける必要がなくなるので、センターフレームにおける上プレートのゲート位置と対向する部分を、断面凹状に形成する必要がなく、センターフレームの外観を良好にすることができる。
また、上プレートの内面側であってゲートに対応する位置の周囲部には、薄肉部が設けられる。これにより、上プレートの成形バランスが良好となり、上プレートの寸法精度を高めることができる。
【００１６】
さらに、請求項２又は請求項４の発明においては、上プレートのゲートは、それぞれ、シャッターロック収納部又はプラグ取付部の上方に配置される。
さらにまた、請求項３又は請求項５の発明においては、上プレートの薄肉部とセンターフレームのシャッターロック収納部との領域の外形、又は上プレートの薄肉部と下プレートのプラグ取付部との領域の外形が一致する。
したがって、上プレートのゲートを目立たなくすることができる。
【００１７】
【発明の実施の形態】
以下、図面等を参照して、本発明の一実施形態について説明する。図１は、本発明によるディスクカートリッジの一実施形態を分解して示す斜視図であり、ＭＤを例としたものである。ディスクカートリッジ１は、前述した３体構造のものであり、上プレート３０と下プレート１０とをセンターフレーム２０を挟んで連結し、内部にディスク状媒体（光ディスク）４０を収納したものである。また、本実施形態では、上プレート３０及び下プレート１０は、透明体又は半透明体であり、内部のセンターフレーム２０及びディスク状媒体４０が外部から見えるように形成されている。
【００１８】
下プレート１０及び上プレート３０のそれぞれの所定の１辺近傍には、従来例と同様に、ディスク状媒体４０の一部を露出させるための開口部１１及び３１が形成されている。そして、従来例と同様のシャッター５１が上プレート３０と下プレート１０とを挟んで開口部１１及び３１を開閉自在に摺動するように取り付けられる。また、下プレート１０の略中央部には、ディスク状媒体４０に取り付けられるハブ４１を露出させるための開口部１２が形成されている。
【００１９】
ディスクカートリッジ１において、ディスク状媒体４０に記録した内容の誤消去を防止するための誤消去防止プラグ５３その他の部材を取り付けた下プレート１０上に、センターフレーム２０及びディスク状媒体４０が搭載され、このセンターフレーム２０上にシャッター５１の閉状態を維持するためのシャッターロック５２が取り付けられ、さらにこの上部に上プレート３０が搭載される。そして、下プレート１０側からねじ５４を挿入して、センターフレーム２０を挟んで下プレート１０と上プレート３０とをねじ止めする。なお、下プレート１０と上プレート３０との連結は、ねじ５４を用いずに溶着しても良い。
【００２０】
次に、下プレート１０、センターフレーム２０及び上プレート３０について、より詳細に説明する。
図１において、下プレート１０の四隅近傍には、ねじ貫通穴を有してセンターフレーム２０側（図１中、上側）に突出したねじ止め用ボス１３が設けられている。また、下プレート１０の一角部近傍には、シャッターロック５２を支持するための支持ボス１６が設けられている。さらにまた、下プレート１０の他の一角部近傍には、誤消去防止プラグ５３を取り付けるためのプラグ取付部１５が形成されている。
【００２１】
図２は、センターフレーム２０を詳細に示す平面図であり、上プレート３０との対向面側を上とした図である。
センターフレーム２０の材料としては、耐熱性を有し、剛性を高めるために、例えばＡＢＳ（アクリロニトリル−ブタジエン−スチレン共重合）樹脂、ＰＣ（ポリカーボネート）樹脂又はＰＡ（ポリアミド）樹脂に種々の添加剤を混合したものが用いられる。前記添加剤としては、例えばタングステン、硫酸バリウム、鉄、燐鉄、フェライト、銅、亜鉛、鉛等があげられる。この添加剤の添加量は、５〜５０ｗｔ％であることが好ましい。さらに、外観の向上のためにセンターフレーム２０に塗装処理を施しても良い。
【００２２】
センターフレーム２０は、ディスク状媒体４０を囲む略円形状の穴２２を有して、略枠状に形成されている。したがって、Ｃ字状等、不連続となっている部分がないので、剛性を高くすることができる。センターフレーム２０の上面側の四隅近傍には、上プレート３０が搭載されたときに上プレート３０側のボス３５（図３参照）と嵌合する断面凹状の係合部２５が形成されている。この係合部２５は、裏面側にも同様に設けられており、裏面側の係合部２５は、下プレート１０のねじ止め用ボス１３と嵌合するものである。
【００２３】
さらにまた、センターフレーム２０の上面側の一角部近傍には、シャッターロック５２を配置するための薄肉（断面凹状）のシャッターロック収納部２１が形成されている。さらに、シャッターロック収納部２１の一部には、貫通穴２６が形成されており、下プレート１０上にセンターフレーム２０が搭載されると、下プレート１０の支持ボス１６が貫通穴２６を通ってセンターフレーム２０上に突出する構造となっている。
【００２４】
また、センターフレーム２０のシャッターロック収納部２１と対角位置にある一角部近傍の端縁部には、センターフレーム２０の一部を略凹状に切り欠いた切り欠き部２７が形成されている。この切り欠き部２７は、センターフレーム２０が下プレート１０上に搭載されたときに下プレート１０のプラグ取付部１５と干渉しないようにするために、プラグ取付部１５を囲むように切り欠いたものである。この切り欠き部２７は、センターフレーム２０の隅部を残してその近傍に設けているので、たとえ切り欠き部２７を設けてもセンターフレーム２０の外観を損なうことがない。
【００２５】
下プレート１０上にセンターフレーム２０が搭載されると、下プレート１０のねじ止め用ボス１３がセンターフレーム２０の係合部２５と嵌合するとともに、下プレート１０の支持ボス１６がセンターフレーム２０の貫通穴２６を通ってセンターフレーム２０上に突出する。そして、シャッターロック５２がこの支持ボス１６に支持されるとともにセンターフレーム２０のシャッターロック収納部２１に配置される。また、下プレート１０のプラグ取付部１５は、センターフレーム２０の切り欠き部２７の切り欠き内に配置される。
【００２６】
図３は、上プレート３０を詳細に示す図であり、（ａ）は、外面側を上とした平面図であり、（ｂ）は、内面側を上とした平面図であり、（ｃ）は、（ｂ）のＡ−Ａ断面を示す断面図である。
上プレート３０は、ＰＣ等の合成樹脂により略板状に形成されている（下プレート１０も同様である）。さらに、上プレート３０の外形寸法は、センターフレーム２０及び下プレート１０の各外形寸法と略同一である。
【００２７】
上プレート３０には、上述したようにディスク状媒体４０の一部を露出させる開口部３１が形成されている。また、内面側の四隅近傍には、上述したセンターフレーム２０の係合部２５に嵌合するボス３５が設けられている。なお、内面側の円形状のリブ３６は、ディスク状媒体４０のハブ４１の動きを規制するためのものである。
【００２８】
上プレート３０のシャッター摺動部３２は、開口部３１を含む範囲に形成され、その肉厚が薄く形成されている。これにより、シャッター５１が取り付けられたときに、上プレート３０とシャッター５１との上面の高さが略一致するように形成されている。なお、図示しないが、以上の構成は下プレート１０についても同様である。
また、上プレート３０のゲート３３は、シャッター摺動部３２以外の領域に設けられている。これにより、肉厚の薄い部分にゲート３３を設けていないので、ゲート３３の位置における上プレート３０の内面側に、突状の湯溜まりを設ける必要がなくなる。よって、センターフレーム２０に、上プレート３０の湯溜まりとの干渉防止のための断面凹状の部分を設ける必要がない。以上により、上プレート３０を透明体又は半透明体にしたときに、センターフレーム２０の外観を損なうことがない。
【００２９】
また、上プレート３０の内面側におけるゲート３３に対応する位置の周囲部には、他の部分より肉厚を薄く形成した薄肉部３４が形成されている。このような薄肉部３４を形成するのは、以下の理由による。
ゲート３３を図３に示す位置に設けた場合には、上プレート３０のゲート側の長さＬ１がその反対側の長さＬ２よりも長くなってしまう。これは、長さＬ１側では一定の肉厚を有しているのに対し、長さＬ２側では薄肉のシャッター摺動部３２があるために成形時の樹脂の流動性が劣るためである。そこで、ゲート３３の周囲部を薄肉として、樹脂の流動のバランスをとるようにしている。なお、薄肉部３４の厚みは、シャッター摺動部３２の厚みと略同一である。
【００３０】
薄肉部３４の領域の外形は、任意に設定することができる。ただし、薄肉部３４を、センターフレーム２０のシャッターロック収納部２１の上方に位置するようにすれば、薄肉部３４を目立たなくすることができ、外観上好ましい。特に本実施形態では、薄肉部３４の領域の外形と、センターフレーム２０のシャッターロック収納部２１の領域の外形とを一致させているが、このようにすれば、薄肉部３４をより目立たなくすることができる。
【００３１】
以上、本発明の一実施形態について説明したが、本発明は、上述した実施形態に限定されることなく、以下のような種々の変形が可能である。
（１）本実施形態では、ディスク状媒体４０として光ディスクを用いたＭＤを例に挙げたが、これ以外の磁気ディスクを用いたものであっても同様に本発明を適用することができる。
【００３２】
（２）本実施形態では、上プレート３０の薄肉部３４とセンターフレーム２０のシャッターロック収納部２１との領域の外形を一致させているが、これに限らず、薄肉部３４を、下プレート１０のプラグ取付部１５（又はセンターフレーム２０の切り欠き部２７）の上方に位置するようにしても良い。さらには、上プレート３０の薄肉部３４と下プレート１０のプラグ取付部１５（又はセンターフレーム２０の切り欠き部２７）との領域の外形を一致させても、本実施形態と同様に、薄肉部３４を目立たなくすることができる。
（３）本実施形態では、上プレート３０及び下プレート１０の双方を透明体又は半透明体にしたが、本発明の場合には、少なくとも上プレート３０のみが透明体であれば良い。
【００３３】
【発明の効果】
請求項１の発明によれば、センターフレームに断面凹状の部分を設ける必要なく上プレートにゲートを設けることができるので、ディスクカートリッジの外観を良好にするとともに、上プレートの成形時の樹脂の流動性を向上させて、上プレートの寸法精度を高めることができる。
請求項２から請求項５までの発明によれば、上プレートのゲートを目立たなくして、ディスクカートリッジの外観をより良好にすることができる。
【図面の簡単な説明】
【図１】本発明のディスクカートリッジの一実施形態を分解して示す斜視図である。
【図２】センターフレームを詳細に示す平面図であり、上プレートとの対向面側を上とした図である。
【図３】上プレートを詳細に示す図であり、（ａ）は、外面側を上とした平面図であり、（ｂ）は、内面側を上とした平面図であり、（ｃ）は、（ｂ）のＡ−Ａ断面を示す断面図である。
【図４】従来のディスクカートリッジの第１例（２体構造のもの）を分解して示す斜視図である。
【図５】従来のディスクカートリッジの第２例（３体構造のもの）を分解して示す斜視図である。
【符号の説明】
１  ディスクカートリッジ
１０  下プレート
１１  開口部
１２  開口部
１３  ねじ止め用ボス
１５  プラグ取付部
１６  支持ボス
２０  センターフレーム
２１  シャッターロック収納部
２６  貫通穴
２７  切り欠き部
３０  上プレート
３１  開口部
３２  シャッター摺動部
３３  ゲート
３４  薄肉部
４０  ディスク状媒体
５１  シャッター
５２  シャッターロック
５３  誤消去防止プラグ
【図１】
0003717285.tif 000002
【図２】
0003717285.tif 000003
【図３】
0003717285.tif 000004
【図４】
0003717285.tif 000005
【図５】
0003717285.tif 000006